(57)【要約】本発明は、背中、首または肩のように、身体上の各部で発生する一種の筋の凝りをほぐすための装置に係り、さらに詳細には、指圧手段の備えられた爪状の本体の中間に回転自在な連結部材を備えて、使用が便利で、かつマッサージ性能の優れたマッサージ器に関する。すなわち、本発明のマッサージ器は、爪状の本体、回転可能な連結部材、及び指圧手段を備え、全体的な形状がほぼ‘Ｓ’字状を有することを特徴とする。これにより、指圧手段及び爪状の本体の中間に形成された回転自在な連結部材によって、使用上の便宜はもとより、指圧性能を改善することによって、筋肉痛による各種の疾病に対する予防及び治療効果を高めることができる。
2009514591.tif 000002
【特許請求の範囲】
【請求項１】
指圧手段が備えられた爪状の本体が回転自在な連結部材の両側に締結されることを特徴とするマッサージ器。
【請求項２】
前記連結部材は、３６０度回転自在なユニバーサル・ジョイントの形態を有することを特徴とする請求項１に記載のマッサージ器。
【請求項３】
前記連結部材は、回転状態を固定させる作動転換手段を備えることを特徴とする請求項１に記載のマッサージ器。
【請求項４】
前記指圧手段は、球形の指圧棒に締結部が一体に締結されて、着脱が可能であることを特徴とする請求項１に記載のマッサージ器。
【請求項５】
前記本体は、前記指圧手段の追加的な設置のために、湾曲部に装着穴を備えることを特徴とする請求項１に記載のマッサージ器。
【請求項６】
前記本体及び連結部材には、ユーザーの身体条件によってサイズ調節が可能な調節手段を備えることを特徴とする請求項１に記載のマッサージ器。
【請求項７】
前記本体は、前記連結部材を中心に両側のサイズが非対称に形成されたことを特徴とする請求項１ないし請求項６のうち何れか１項に記載のマッサージ器。
【発明の詳細な説明】
【技術分野】
【０００１】
本発明は、背中、首または肩のように、身体の各部でよく発生する一種の筋肉の凝りをほぐすための装置に関し、さらに詳細には、指圧手段が備えられた爪状の本体の中間に回転自在な連結部材を備え、使用が便利で、かつマッサージ性能の優れたマッサージ器に関する。
【背景技術】
【０００２】
一般的に、筋肉の障害は、トリガー・ポイント（Ｔｒｉｇｇｅｒ  Ｐｏｉｎｔ）とミオファーシャル・ストレイン（Ｍｙｏｆａｓｃｉａｌ  ｓｔｒａｉｎ）とに分けられる。前記トリガー・ポイントとは、筋肉の膜にこぶのようなものが生じて、筋肉の血液循環を阻害して筋肉を収縮させることによって、筋肉の弛緩を阻害し、骨を捻る現象を言い、一方、ミオファーシャル・ストレインとは、長さ方向に筋膜癒着、すなわち、筋肉が弛緩されず、ロープのように捻れて収縮する現象を言う。
【０００３】
これら障害の治療方法としては、まず、トリガー・ポイントの場合、局所麻酔後に針で筋膜を数回破いたり圧迫を数分間（５分ないし１０分間以上）持続させたりする方法があり、ミオファーシャル・ストレインの場合、ストレッチングでほぐす方法がある。しかし、ミオファーシャル・ストレインの場合、首を前方に下げて背中の筋肉をストレッチングすれば、筋膜の癒着及び収縮が過度に発生して、筋肉全体が上方に引き締まりつつ、背中でストレッチングされず、腰で引き締まるということが確認された。
【０００４】
前記問題点を解決するための技術として、大韓民国実用新案第２５８６９２号明細書（２００１年１２月１２日付登録、以下、‘従来技術’という）に記載された技術が挙げられる。以下、添付図面を参照して、前記従来技術に記載された内容を詳細に説明する。
図１に示すように、従来技術に係るマッサージ器は、マッサージを容易にし、また皮下毛細血管を刺激して血液循環を回復させることによって、かゆみを解消するためのものであって、爪状の肩掛け部１、その先端に形成された加圧部２、及び取っ手部３を備え、その全体的な形状はほぼ‘Ｓ’字状を有する。また、肩掛け部１と取っ手部３との間には、表面に突起４ａの形成されたカバー部材４が結合され、特に、取っ手部３の先端には、所定の溝を有する背中掻き部材３ａが備えられている。
【０００５】
前述のように、前記従来技術に係るマッサージ器は、身体の所定の部位に対する指圧及びマッサージを容易にし、皮下毛細血管を刺激して血液循環を円滑にすることによって、背中掻き部材３ａを利用して皮膚のかゆみを手軽に解消することが可能であり、また、突起４ａの形成されたカバー部材４を握ることによって、ユーザーの手の平の経穴を刺激することができるということを特徴とする。
【０００６】
しかし、図２に示すように、従来技術に係るマッサージ器は、背中の凝った筋肉を指圧するために、肩掛け部１を肩にかけたとき、全体的な形状がほぼ‘Ｓ’字状を有することから、加圧部２の指圧に必要な力の伝達が容易ではないという問題があった。すなわち、ユーザーが従来技術に係るマッサージ器の肩掛け部１を肩にかけたとき、ユーザーのわきの間に取っ手部３が位置するため、身体の構造上、身体の部分と間隔距離の短い取っ手部３を押したり引いたりするなどの動作が不便であるという問題点があった。
【０００７】
特に、従来技術に係るマッサージ器は、患部を指圧する加圧部２が肩掛け部１の先端に形成されているので、背中で発生した筋肉の病変が首や肩に転移したとき、それに対する指圧効果を期待することができない。また、人体の力学構造上、背中で発生した病変が、腕や肩の痛みを伴う場合が多いことに鑑みると、腕や肩を利用して力を直接取っ手部３から加圧部２に伝達する従来技術に係るマッサージ器は、実質的に効果的でないという問題点があった。
【特許文献１】大韓民国実用新案第２５８６９２号明細書
【発明の開示】
【発明が解決しようとする課題】
【０００８】
本発明は、前記問題点を解決するためになされたものであって、本発明の目的は、指圧手段が備えられた爪状の本体の中間に回転自在な連結部材を備えることによって、使用上の便宜及び性能の向上を図り得るマッサージ器を提供するところにある。
【０００９】
また、本発明の他の目的は、着脱可能な指圧手段と、本体の湾曲部に装着穴とを備えることによって、ユーザーが、指圧の必要な患部の位置及び状態によって最適の指圧手段を選択して適用できるようにして、指圧効果を向上させ得るマッサージ器を提供するところにある。
【００１０】
また、本発明のさらに他の目的は、連結部材と本体との間に調節手段を備えることによって、多様な体型及び身体条件に関係なく、任意に調整して使用することができるマッサージ器を提供するところにある。
【課題を解決するための手段】
【００１１】
前記課題を解決するために、本発明のマッサージ器は、爪状の本体、回転自在な連結部材、及び指圧手段を備え、全体的な形状がほぼ‘Ｓ’字状を有することを特徴とする。
【００１２】
特に、本発明の連結部材は、３６０度回転自在なジョイント型に形成されることによって、使用方法の多様化を図ることができる。また、指圧手段は、着脱可能であり、本体の湾曲部に備えられた装着穴に追加的に設置され得るので、指圧効果を高めることができる。
【発明の効果】
【００１３】
前述のように、本発明のマッサージ器によれば、指圧手段が備えられた爪状の本体の中間に回転自在な連結部材を備えて、使用上の便宜はもとより、指圧性能を改善することによって、筋肉痛による各種の疾病に対する予防及び治療効果を高めることができる。
【００１４】
また、非対称に形成された本体、または本体及び連結部材に形成された調節手段によって、ユーザーの身体条件に関係なく一定の指圧効果を有し、特に、単純な技術的構成による製造工程上の生産性の向上及びコスト節減による経済的効果を期待することができる。
【発明を実施するための最良の形態】
【００１５】
以下、添付図面を参照して、本発明の望ましい実施形態に係るマッサージ器を詳細に説明する。
【００１６】
図３及び図４に示すように、本発明のマッサージ器は、指圧手段２０ａ、２０ｂの備えられた本体１０ａ、１０ｂが、回転自在な連結部材５０を介して両側に一体に形成され、その全体的な形状はほぼ‘Ｓ’字状を有する。
【００１７】
本発明の指圧手段２０ａ、２０ｂは、ユーザーの患部を直接押さえたり擦ったりするためのものであって、爪やクェスチョンマークのような形状を有し、本体１０ａ、１０ｂの先端に球形に突出するように一体に形成されるか、または球形の指圧棒２１ａ、２１ｂに締結部２２ａ、２２ｂが締結されて、本体１０ａ、１０ｂに着脱可能に形成されることができる。ここで、球形の指圧棒２１ａ、２１ｂに一体に締結された締結部２２ａ、２２ｂは、ボルトのようにねじ山が形成されており、それにはさらに他の付随的な形態が加えられて、球形の指圧棒２１ａ、２１ｂが回転自在に形成されることができる。
【００１８】
前記指圧手段２０ａ、２０ｂが着脱可能に形成された場合、前記本体１０ａ、１０ｂの先端は、円形断面の中央が窪んでおり、そこに、内周面にねじ山の形成された一種のナットのような装着穴３０ａが形成される。さらに、本体１０ａ、１０ｂの湾曲部１１ａ、１１ｂの内側にも、前記のような装着穴３０ｂを所定間隔離隔させて形成することによって、それらのそれぞれに前記指圧手段２０ａ、２０ｂを選択的に設置可能にすることが望ましい。それは、肩の上端部や首の後方のような障害の位置によって、前記指圧手段２０ａ、２０ｂ及び前記装着穴３０ａ、３０ｂを選択的に使用することが可能であり、それと同時に、一つの動作で障害の一括的な指圧及び治療を可能にするためである。
【００１９】
ここで、本体１０ａ、１０ｂの先端の形状は、ラッパ状に広げられた形状を有するか、または円形の横断面を有することによって、着脱可能な多様なサイズの指圧手段２０ａ、２０ｂが締結されたとき、流線型または円形の横断面による一体感及び締結安定感が与えられて、指圧棒２１ａ、２１ｂが捻れることを防止することができる。
【００２０】
そして、本発明の指圧手段２０ａ、２０ｂは、球形の指圧棒２１ａ、２１ｂを軟質または硬質の多様な材質から形成し、また、小型または大型の多様なサイズに形成することによって、筋肉の凝った程度及び患部によって選択的に使用して、指圧及び治療効果を高めることができる。
【００２１】
前記連結部材５０は、本体１０ａ、１０ｂと締結される両側のうち何れか一方が、回転自在なジョイント型に形成され、このようなジョイントは、ピン結合によるヒンジのように、一方向回転が可能であるか、またはユニバーサル・ジョイントのように、３６０度回転自在に形成されることができる。このとき、本発明の連結部材５０には、ジョイントの回転状態を制限するためのボタン式作動転換手段５１が備えられる。ボタン式作動転換手段５１は、一回押したとき、ジョイントの回転を所定位置、すなわち、ボタンを押した位置で固定させ、再び押したとき、その固定状態を解除して回転状態に戻す一種の作動モードを転換するためのものである。
【００２２】
特に、前記連結部材５０が、ピン結合によるヒンジのように一方向に回転する関節である場合、図４に示すように、本発明のマッサージ器は、全体的な形状が捻れた‘Ｓ’字状、すなわち、上下端の本体１０ａ、１０ｂのそれぞれが互いに反対側に捻れた形状を有する。それは、手の状態によって使用される筋肉が異なり、それによって伝達される力が変わるという原理、すなわち、サムアップ（ｔｈｕｍｂ−ｕｐ）状態では、腕の筋肉が使用され、サムイン（ｔｈｕｍｂ−ｉｎ）状態では、肩の筋肉が使用されるという違いを応用したものである。本発明では、肩筋肉を主に使用することによって、楽な姿勢でさらに強力に指圧できるようになる。
【００２３】
このような連結部材５０によって、本発明のマッサージ器は、ユーザーの手を利用した加圧、太股や膝を曲げた状態で本体１０ｂにかけて脚を下方に引くなど、脚を利用した加圧、または紐のような第３手段を利用した加圧など、多様な方法を使用することができる。
【００２４】
また、本発明のマッサージ器の本体１０ａ及び連結部材５０には、ユーザーの体型及び身長のような身体条件に合わせてマッサージ器のサイズ、すなわち、長さを調節するための調節手段４０が備えられる。前記調節手段４０の望ましい実施形態として、本体１０ａにおいて指圧手段２０ａの形成された反対側と、連結部材５０において関節の形成された反対側とには、互いに雌と雄をなすように、すなわち、ボルトとそれに相応するナットのような螺旋形の溝が形成される。すなわち、連結部材５０に所定長さに形成された外溝４１と本体１０ａの内溝４２とが螺合し、前記外溝４１と内溝４２との結合深さによって本発明の総長を調節することができる。それとは異なり、ストッパー機能の備えられた溝と突起とを備えて、互いに結合させるように形成することも可能である。
【００２５】
また、本発明のマッサージ器は、前記連結部材５０の両側に一体に形成された本体１０ａ、１０ｂのサイズを相異なるように、すなわち、非対称にすることによって、ユーザーの体型及び身長によって適切に使用することが可能である。
【００２６】
以下、添付図面を参照して、前記のように構成された本発明に係るマッサージ器の作動について説明する。
【００２７】
まず、本発明のマッサージ器は、背中、首または肩のように、身体の各部で発生した筋肉の凝りを自らほぐすためのものであり、筋肉の凝った程度や患部の位置によって、指圧棒２１ａ、２１ｂ及び締結部２２ａ、２２ｂからなる指圧手段２０ａ、２０ｂを、本体１０ａ、１０ｂの湾曲部１１ａ、１１ｂの内側及び先端に形成された装着穴３０ａ、３０ｂに選択的に締結させて使用することができる。このとき、ユーザーは、患部の状態を考慮して、指圧手段２０ａ、２０ｂの指圧棒２１ａ、２１ｂを形成する材質及びサイズを選択して結合することができる。
【００２８】
そして、ユーザーの体型及び身長に合わせて、調節手段４０を利用してマッサージ器の全体サイズを調節し、肩に掛ける本体１０ａ、１０ｂを選択することによって効果的に治療することができる。
【００２９】
図５ないし図７は、本発明に係るマッサージ器の使用状態を類型別に示す図面である。図５は、患者が腕を自由に使用できる状態で本発明のマッサージ器を使用している状態を示す図面であり、図６及び図７は、腕や肩の使用の不自由な患者が本発明のマッサージ器を使用している形態を示す図面である。
【００３０】
図５に示すように、ユーザーは、本発明のマッサージ器の本体１０ｂに形成された指圧手段２０ｂを、患部の所定位置と当接するように本体１０ｂを肩にかけた後、胸の前側に位置した他の本体１０ａを所定位置に回転させれば、前記本体１０ａは、連結部材５０により回転するので、加圧のためのユーザーの腕の位置が、楽な姿勢を維持することができる。このような姿勢で、ユーザーが腕を引いたり押したりすることによって、肩及び背中の患部と当接した指圧手段２０ｂへの力の伝達が容易になり、患部を押さえたり擦る力の調節が容易になる。
【００３１】
そして、図６及び図７を参照すると、図５と同様に、本発明のマッサージ器の本体１０ｂを所定位置に位置させた状態で、図６は、連結部材５０を回転させて、他の本体１０ａの湾曲部１１ａに太股をかけ、連結部材５０を手で把持した状態での作動を示し、図７は、他の本体１０ａの湾曲部１ｌａに紐などを連結して、前記紐の端部をユーザーの足または第３手段で固定させた状態の作動を示す。
【００３２】
前記のような状態、すなわち、図６の状態では、ユーザーが上体及び脚を伸ばしたり曲げたりするなどの動作を通じて、指圧手段２０ａ、２０ｂが患部を加圧するが、このとき、ユーザーは、背中及び肩はもとより、大腿部の後方の筋肉を同時に指圧することができる。また、図７の状態では、図６と同様に、ユーザーは、手で連結部材５０を握って固定させた状態で、上体を上下または左右に動かすことによって肩及び背中の患部を容易に指圧することができる。
【００３３】
ここで、図６及び図７で作用する力の方向を説明すれば、脚または第３手段を通じて引く力のベクトル方向は、図面で点線の矢印で示すように、前下方であり、背中の治療ベクトル方向は、図面で一点鎖線の矢印で示すように、前方である。すなわち、脚や足の使用時、本発明のマッサージ器と体との接触部位が、背中との接点より下方かつ前方に位置するため、下方に引くと、ベクトル方向は前下方に向う。このようなベクトル方向は、連結部材５０を体の方に押しつつ、さらに背後の指圧棒２１ａ、２１ｂは、体から離れるようにする。結局、指圧棒２１ａ、２１ｂによる背中の圧迫が効率悪くなる。
【００３４】
このとき、連結部材５０の作動転換手段５１を利用して、本体１０ａの回転状態を所定位置で固定させることによって簡単に解決することができる。すなわち、ユーザーの脚または第３手段を利用して圧迫を加えるときには、本発明の本体１０ｂを肩にかけた状態で連結部材５０を体から押して、少なくとも直線またはそれより前方に位置させた状態で、作動転換手段５１を利用して連結部材５０の回転状態を固定させれば、背中に位置した指圧棒２１ａ、２１ｂのベクトル方向が背中を加圧することができるようになる。
【００３５】
前記本発明の詳細な説明は、本発明の特定の実施形態に限って説明したが、本発明がそれに限定されるものではなく、本発明の概念を離脱しない範囲内で、当業者によって多様な形態に変形または変更して実施することができるということも本発明の特許請求の範囲に含まれることは勿論である。
【図面の簡単な説明】
【００３６】
【図１】従来技術の実施形態に係るマッサージ器を立体的に示す図面である。
【図２】従来技術の実施形態に係るマッサージ器の使用状態を示す図面である。
【図３】本発明の実施形態に係るマッサージ器の分解状態を立体的に示す図面である。
【図４】本発明の実施形態に係るマッサージ器の作動状態を概略的に示す図面である。
【図５】本発明の実施形態に係るマッサージ器の使用状態を示す図面である。
【図６】本発明の実施形態に係るマッサージ器の使用状態を示す図面である。
【図７】本発明の実施形態に係るマッサージ器の使用状態を示す図面である。
【符号の説明】
【００３７】
１０ａ、１０ｂ  本体
１１ａ、１１ｂ  湾曲部
２０ａ、２０ｂ  指圧手段
２１ａ、２１ｂ  指圧棒
２２ａ、２２ｂ  締結部
３０ａ、３０ｂ  装着穴
４０  調節手段
４１  外溝
４２  内溝
５０  連結部材
５１  作動転換手段
【図１】
2009514591.tif 000003
【図２】
2009514591.tif 000004
【図３】
2009514591.tif 000005
【図４】
2009514591.tif 000006
【図５】
2009514591.tif 000007
【図６】
2009514591.tif 000008
【図７】
2009514591.tif 000009
【国際調査報告】
2009514591.tif 000010
2009514591.tif 000011